(57)【要約】【課題】通信中なのか不通なのか分からないために通信途中放棄して切断してしまう移動体端末への無駄な課金を低減する。また、応答の遅延やタイムアウトによる二重課金をなくす。【解決手段】インターネット網に接続可能なＡＴＭ交換機と無線基地局が分離している移動体通信システムにおいて、複数の移動体端末が同一のサービスエリア内にてほぼ同時に通信を行った時、パケット通信状態にある移動体端末全てに対して、単位時間当たりのデータ転送量を移動体毎に均等にする事により、通信中なのか不通なのか分からないために通信途中放棄してしまう移動体端末への無駄な課金を低減する。またインターネット網側からの再送による二重送信をなくす事により二重課金をなくす事を特徴としている。【選択図】図２
2007259016.tif 000002
【特許請求の範囲】
【請求項１】
複数の移動体端末と無線区間のデータをやり取りするために使用される無線基地局と、
前記無線基地局とデータをやり取りするために使用されるＡＴＭ交換機と、
前記ＡＴＭ交換機及びインターネット網とデータをやり取りするために使用される関門交換機と
を有し、
前記ＡＴＭ交換機は、
前記無線基地局毎に存在し、前記無線基地局の制御を行う無線基地局制御装置と、
前記複数の移動体端末との間のプロトコルを終端する複数の移動体端末終端装置と、
前記ＡＴＭ交換機内におけるパケットのプロトコル処理を行う第１のパケット処理装置と
を具備し、
前記関門交換機は、
前記関門交換機内におけるパケットのプロトコル処理を行う第２のパケット処理装置と、
前記関門交換機内で使用されているデータ形式から、前記インターネット網で使用されているデータ形式にデータのプロトコルの変換を行うプロトコル変換装置と
を具備し、
前記無線基地局は、前記前記関門交換機が前記インターネット網から受信したパケットデータを、前記ＡＴＭ交換機を介して受信し、前記無線基地局が管理する同一のサービスエリア内で通信状態にある前記複数の移動体端末の各々に対して、均等に前記パケットデータを送信する
移動体通信システム。
【請求項２】
請求項１に記載の移動体通信システムにおいて、
前記無線基地局は、同一のサービスエリア内にて通信を行っている移動体端末Ｍ１から移動体端末Ｍｍまでのｍ台の移動体端末がある場合、パケット番号１から各移動体端末Ｍｊ（ｊ＝１からｍの値）の最終データパケット番号ｎｊ（ｎはパケット数）までのパケットデータ（ｊ，ｎｊ）を、前記移動体端末Ｍ１から前記移動体端末Ｍｍまで順番に割り当てる
移動体通信システム。
【請求項３】
請求項２に記載の移動体通信システムにおいて、
前記無線基地局は、通信を開始した移動体端末からパケット番号１のパケットデータを受信すると前記ＡＴＭ交換機に受信応答を送出し、
前記ＡＴＭ交換機は、前記受信応答を受けてから次の移動体端末のパケット番号１のパケットデータを送出し、且つ、最後に発呼した移動体端末番号のパケット番号１のパケットデータを送出し、無線基地局からの応答を受信した場合、前記通信を開始した移動体端末のパケット番号２のパケットデータを前記無線基地局に対して送出する
移動体通信システム。
【請求項４】
請求項１乃至３のいずれか一項に記載の移動体通信システムにおいて、
前記複数の移動端末の各々が連続して同一個数のパケットデータをダウンロード開始した場合、
前記無線基地局制御装置は、前記移動体端末終端装置からの前記各移動体端末宛のパケットデータを受信キューに受信し、前記パケットデータを前記各移動体端末毎の送信キューに受信順に並び替え、前記送信キューから１つずつ取り出し前記無線基地局に送信し、
前記無線基地局は、前記無線基地局制御装置からのデータを前記各移動体端末に送信し、
前記各移動体端末は、自分宛のデータを取り出す
移動体通信システム。
【請求項５】
請求項１乃至４のいずれか一項に記載の移動体通信システムにおいて、
前記無線基地局が複数である場合、前記無線基地局制御装置は、前記複数の無線基地局の各々のサービスエリア内で通信を行っている前期複数の移動体端末の台数に応じて、前記複数の無線基地局の各々に、均等に前記パケットデータを送信する
移動体通信システム。
【請求項６】
請求項１乃至５のいずれか一項に記載の移動体通信システムにおいて、
前記プロトコル変換装置は、前記インターネット網から受信したパケットデータを前記第２のパケット処理装置に渡し、
前記第２のパケット処理装置は、前記パケットデータを、前記第１のパケット処理装置に送信し、
前記第１のパケット処理装置は、前記パケットデータを、前記移動体端末終端装置に渡し、
前記移動体端末終端装置は、前記パケットデータを、前記無線基地局制御装置に渡し、
前記無線基地局制御装置は、前記無線基地局に、前記パケットデータを送信する
移動体通信システム。
【請求項７】
請求項１乃至４のいずれか一項に記載の移動体通信システムにおいて、前記無線基地局として使用される通信装置。
【請求項８】
請求項１乃至４のいずれか一項に記載の移動体通信システムにおいて、前記ＡＴＭ交換機として使用される通信装置。
【請求項９】
請求項１乃至４のいずれか一項に記載の移動体通信システムにおいて、前記関門交換機として使用される通信装置。
【請求項１０】
（ａ）インターネット網からパケットデータを受信するステップと、
（ｂ）同一のサービスエリア内にて通信を行っている移動体端末Ｍ１から移動体端末Ｍｍまでのｍ台の移動体端末がある場合、パケット番号１から各移動体端末Ｍｊ（ｊ＝１からｍの値）の最終データパケット番号ｎｊ（ｎはパケット数）までのパケットデータ（ｊ，ｎｊ）を、前記移動体端末Ｍ１から前記移動体端末Ｍｍまでに対して、均等に送信するステップと
を具備する
パケット均等送信方法。
【請求項１１】
請求項１０に記載のパケット均等送信方法において、
前記（ｂ）ステップは、
（ｂ１）通信を開始した移動体端末からパケット番号１のパケットデータを受信すると受信応答を送出するステップと、
（ｂ２）前記受信応答を受けてから次の移動体端末のパケット番号１のパケットデータを送出するステップと、
（ｂ３）最後に発呼した移動体端末番号のパケット番号１のパケットデータを送出して応答を受信した場合、前記通信を開始した移動体端末のパケット番号２のパケットデータを送出するステップと
を具備する
パケット均等送信方法。
【請求項１２】
請求項１０に記載のパケット均等送信方法において、
前記（ｂ）ステップは、
（ｂ４）複数の移動端末の各々が連続して同一個数のパケットデータをダウンロード開始した場合、前記各移動体端末宛のパケットデータを受信キューに受信するステップと、
（ｂ５）前記パケットデータを前記各移動体端末毎の送信キューに受信順に並び替えるステップと、
（ｂ６）前記送信キューから１つずつ取り出して送信するステップと
を具備する
パケット均等送信方法。
【請求項１３】
請求項１０に記載のパケット均等送信方法において、
前記（ｂ）ステップは、
（ｂ７）複数の無線基地局の各々のサービスエリア内で通信を行っている複数の移動体端末の台数に応じて、前記複数の無線基地局の各々に、前記パケットデータを均等に送信するステップ
を具備する
パケット均等送信方法。
【請求項１４】
請求項１３に記載のパケット均等送信方法において、
前記（ｂ）ステップは、
（ｂ８）前記複数の無線基地局の各々から、自身のサービスエリア内で通信を行っている前記複数の移動体端末の各々に前記パケットデータを均等に送信することで、前記各移動体端末の通信状態を維持し、前記各移動体端末の処理時間によるタイムアウトを抑制するステップ
を具備する
パケット均等送信方法。
【請求項１５】
請求項１０乃至１４のいずれか一項に記載のパケット均等送信方法を、コンピュータに実行させるためのプログラム。
【発明の詳細な説明】
【技術分野】
【０００１】
本発明は、パケット均等送信方法に関し、特に交換機と無線基地局が分離している移動体通信システムにおけるパケット均等送信方法に関する。
【背景技術】
【０００２】
移動体端末の基地局の同一のサービスエリア内において、複数の移動体端末を用いてパケットデータを連続でダウンロード開始した場合、従来のパケット送信方法では、早く通信を開始した移動体端末は早くダウンロードが完了するが、遅く通信を開始した移動体端末に関しては先に通信開始した移動体端末のデータ量に引きずられダウンロードの完了が遅くなるか、タイムアウトしてしまうことが多々あった。
【０００３】
図面を参照して、従来のパケット送信方法について説明する。
図１は、従来の下りパケット送信方法を使った場合の動作である。図１は、移動体端末Ｍ１から移動体端末Ｍｍまでのｍ台の移動体端末が、移動体端末Ｍｍの最初のパケット番号１のデータ（ｍ，１）を送出されるまでのパケットデータイメージを二次元配列で示している。ここでの移動体端末番号Ｍ１、Ｍ２、Ｍ３、Ｍｍは、通信を開始した移動体端末の順番を意味している。また、移動体端末Ｍｍ用の送信データ（ｍ，１）を得るまでの時間に移動体端末Ｍ１，Ｍ２，・・・，Ｍｍ−１の最終データはそれぞれ（１，ｍ），（２，ｍ−１），・・・，（ｍ−１，２）としている。
【０００４】
下記に従来のパケット送信方法を用いた場合の処理を説明する。
従来のパケット送信方法では、図中「Ｄ１」に示すように、最初に通信を開始した移動体端末Ｍ１宛のパケット番号１からパケット番号ｍまでのデータ（１，１）から（１，ｍ）を送出した後、図中「Ｄ２」に示すように、移動体端末番号Ｍ２宛のパケットデータ（２，１）から（２，ｍ−１）を送出している。以降、同様のパケット送信を繰り返し、図中「Ｄ３」に示すように、移動体端末番号Ｍｍ−１宛のパケットデータ（ｍ−１，１）から（ｍ−１，２）を送出した後、最後に、図中「Ｄ４」に示すように、移動体端末番号Ｍｍ宛のパケットデータ（ｍ，１）を送出している。
【０００５】
このように、移動体端末Ｍｍのパケットデータが送出されるまでには、「Ｄ１」から「Ｄ３」までの一連の処理が実行される。このことから分かるように、通信している移動体端末の台数が少数の場合には、後から通信を開始した移動体端末は長い時間待つこともなく通信することができるが、通信している移動体端末の台数が多ければ多いほど、後から通信を開始した移動体端末や、通信中のある移動体端末は、パケットデータが送信されるまでに長い待ち時間が必要となってしまう。結果的にこれらの移動端末は通信処理のタイムアウトか途中放棄による切断となる。
【０００６】
このように、従来のパケット送信方法では、無線基地局を増やすことにより、同一のサービスエリア内の移動体端末台数を抑制する必要があった。また、全ての移動体端末毎に均等に通信処理を行うことができないので、インターネット網からのある特定の移動体端末へのデータ偏重により通信が突然出来なくなる移動体端末が発生し、途中放棄にて切断して移動端末側から見れば無駄な課金となる。また、移動体端末からの応答がないことによりインターネット網が再送してしまい、二重課金になってしまうという問題が発生していた。
【０００７】
関連する技術として、特開２０００−２３６３４３号公報に無線通信装置が開示されている。
この無線通信装置は、複数の通信ユーザについての上り回線用及び下り回線用のそれぞれの格納手段における送信待ちセルの状況を単位フレーム毎に監視する監視手段と、前記格納手段の全体の状況に基づいて単位フレーム毎に前記送信待ちセルに対して単位サブスロットを割り当てる割当手段と、を具備することを特徴とする。
【０００８】
また、特開２００３−１１０５７５号公報にマルチレート対応無線基地局装置が開示されている。
この従来技術は、有線ネットワークと無線ネットワークとのデータ中継を行う無線基地局装置に関する。この無線基地局装置は、配下の無線端末へ送信するデータフレームの伝送レートを、複数ある伝送レートの中から無線媒体の通信環境に応じて選択した上で当該無線端末と無線パケット通信を行うマルチレート対応無線基地局装置である。そして、このマルチレート対応無線基地局装置は、配下の無線端末との間でデータの送受信を行う際のデータ伝送レートを、無線端末毎に管理するための伝送レート管理表を作成する手段と、到着した配下の無線端末宛のデータフレームを複数の異なるデータ伝送レート別に格納するための伝送レート別送信キューと、データを送信できる機会の多さに対応した優先度を設定する手段と、複数のデータ伝送レート及びデータ伝送レート別キューに割り当てる優先度を管理するための伝送レート別優先度管理表を作成する手段と、を備えることを特徴とする。
【０００９】
【特許文献１】特開２０００−２３６３４３号公報
【特許文献２】特開２００３−１１０５７５号公報
【発明の開示】
【発明が解決しようとする課題】
【００１０】
本発明の目的は、インターネット網に接続可能なＡＴＭ交換機と無線基地局が分離している移動体通信システムにおいて、複数の移動体端末が同一のサービスエリア内にてほぼ同時に通信を行った時、パケット通信状態にある移動体端末全てに対して、単位時間当たりのデータ転送量を移動体毎に均等にするパケット均等送信方法を提供することである。
本発明の他の目的は、通信中なのか不通なのか分からないために通信途中放棄してしまう移動体端末への無駄な課金を低減するパケット均等送信方法を提供することである。
本発明の更に他の目的は、インターネット網側からの再送による二重送信を回避することにより二重課金を回避するパケット均等送信方法を提供することである。
【課題を解決するための手段】
【００１１】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【００１２】
本発明の移動体通信システムは、複数の移動体端末と無線区間のデータをやり取りするために使用される無線基地局（１０）と、前記無線基地局（１０）とデータをやり取りするために使用されるＡＴＭ交換機（２０）と、前記ＡＴＭ交換機（２０）及びインターネット網（１００）とデータをやり取りするために使用される関門交換機（３０）とを有する。
前記ＡＴＭ交換機（２０）は、前記無線基地局（１０）毎に存在し、前記無線基地局（１０）の制御を行う無線基地局制御装置（２２）と、前記複数の移動体端末との間のプロトコルを終端する複数の移動体端末終端装置（２３）と、前記ＡＴＭ交換機（２０）内におけるパケットのプロトコル処理を行う第１のパケット処理装置（２４）とを具備する。
前記関門交換機（３０）は、前記関門交換機（３０）内におけるパケットのプロトコル処理を行う第２のパケット処理装置（３３）と、前記関門交換機（３０）内で使用されているデータ形式から、前記インターネット網（１００）で使用されているデータ形式にデータのプロトコルの変換を行うプロトコル変換装置（３２）とを具備する。
前記無線基地局（１０）は、前記前記関門交換機（３０）が前記インターネット網（１００）から受信したパケットデータを、前記ＡＴＭ交換機（２０）を介して受信し、前記無線基地局（１０）が管理する同一のサービスエリア内で通信状態にある前記複数の移動体端末の各々に対して、均等に前記パケットデータを送信する。
【００１３】
前記無線基地局（１０）は、同一のサービスエリア内にて通信を行っている移動体端末Ｍ１から移動体端末Ｍｍまでのｍ台の移動体端末がある場合、パケット番号１から各移動体端末Ｍｊ（ｊ＝１からｍの値）の最終データパケット番号ｎｊ（ｎはパケット数）までのパケットデータ（ｊ，ｎｊ）を、前記移動体端末Ｍ１から前記移動体端末Ｍｍまで順番に割り当てる。
【００１４】
前記無線基地局（１０）は、通信を開始した移動体端末からパケット番号１のパケットデータを受信すると前記ＡＴＭ交換機（２０）に受信応答を送出する。前記ＡＴＭ交換機（２０）は、前記受信応答を受けてから次の移動体端末のパケット番号１のパケットデータを送出する。更に、最後に発呼した移動体端末番号のパケット番号１のパケットデータを送出し、無線基地局（１０）からの応答を受信した場合、前記通信を開始した移動体端末のパケット番号２のパケットデータを前記無線基地局（１０）に対して送出する。
【００１５】
前記複数の移動端末の各々が連続して同一個数のパケットデータをダウンロード開始した場合、前記無線基地局制御装置（２２）は、前記移動体端末終端装置（２３）からの前記各移動体端末宛のパケットデータを受信キューに受信する。前記パケットデータを前記各移動体端末毎の送信キューに受信順に並び替えた後、前記送信キューから１つずつ取り出し前記無線基地局（１０）に送信する。前記無線基地局（１０）は、前記無線基地局制御装置（２２）からのデータを前記各移動体端末に送信し、前記各移動体端末は、自分宛のデータを取り出す。
【００１６】
前記無線基地局（１０）が複数である場合、前記無線基地局制御装置（２２）は、前記複数の無線基地局（１０）の各々のサービスエリア内で通信を行っている前期複数の移動体端末の台数に応じて、前記複数の無線基地局（１０）の各々に、均等に前記パケットデータを送信する。
【００１７】
前記プロトコル変換装置（３２）は、前記インターネット網（１００）から受信したパケットデータを前記第２のパケット処理装置（３３）に渡す。前記第２のパケット処理装置（３３）は、前記パケットデータを、前記第１のパケット処理装置（２４）に送信する。前記第１のパケット処理装置（２４）は、前記パケットデータを、前記移動体端末終端装置（２３）に渡す。前記移動体端末終端装置（２３）は、前記パケットデータを、前記無線基地局制御装置（２２）に渡す。前記無線基地局制御装置（２２）は、前記無線基地局（１０）に、前記パケットデータを送信する。
【００１８】
本発明のパケット均等送信方法は、（ａ）インターネット網（１００）からパケットデータを受信するステップと、（ｂ）同一のサービスエリア内にて通信を行っている移動体端末Ｍ１から移動体端末Ｍｍまでのｍ台の移動体端末がある場合、パケット番号１から各移動体端末Ｍｊ（ｊ＝１からｍの値）の最終データパケット番号ｎｊ（ｎはパケット数）までのパケットデータ（ｊ，ｎｊ）を、前記移動体端末Ｍ１から前記移動体端末Ｍｍまでに対して、均等に送信するステップとを具備する。
【００１９】
前記（ｂ）ステップは、（ｂ１）通信を開始した移動体端末からパケット番号１のパケットデータを受信すると受信応答を送出するステップと、（ｂ２）前記受信応答を受けてから次の移動体端末のパケット番号１のパケットデータを送出するステップと、（ｂ３）最後に発呼した移動体端末番号のパケット番号１のパケットデータを送出して応答を受信した場合、前記通信を開始した移動体端末のパケット番号２のパケットデータを送出するステップとを具備する。
【００２０】
前記（ｂ）ステップは、（ｂ４）複数の移動端末の各々が連続して同一個数のパケットデータをダウンロード開始した場合、前記各移動体端末宛のパケットデータを受信キューに受信するステップと、（ｂ５）前記パケットデータを前記各移動体端末毎の送信キューに受信順に並び替えるステップと、（ｂ６）前記送信キューから１つずつ取り出して送信するステップとを具備する。
【００２１】
前記（ｂ）ステップは、（ｂ７）複数の無線基地局（１０）の各々のサービスエリア内で通信を行っている複数の移動体端末の台数に応じて、前記複数の無線基地局（１０）の各々に、前記パケットデータを均等に送信するステップを具備する。
【００２２】
前記（ｂ）ステップは、（ｂ８）前記複数の無線基地局（１０）の各々から、自身のサービスエリア内で通信を行っている前記複数の移動体端末の各々に前記パケットデータを均等に送信することで、前記各移動体端末の通信状態を維持し、前記各移動体端末の処理時間によるタイムアウトを抑制するステップを具備する。
【００２３】
本発明のプログラムは、上記のいずれかのパケット均等送信方法をコンピュータに実行させる。
【発明の効果】
【００２４】
インターネット網からのデータパケットは、同一のサービスエリア内にて、ある単位時間のパケット送出状況下において、特定の移動体端末だけデータが連続して送出されている場合がある。このような場合、本発明を適用することで、ＡＴＭ交換機側が移動体端末毎にパケットデータ送出を均等に行うことができる。また、均等に送信することにより、通信中なのか不通なのか分からないために通信途中放棄して切断してしまう移動体端末への無駄な課金を低減することができる。また、移動端末がパケットデータを受け取ったことに対するインターネット網側への応答の遅延やタイムアウトによるインターネット網側からの再送をなくすことにより二重課金をなくすという効果が得られる。
【発明を実施するための最良の形態】
【００２５】
本発明は、図２に示すようなインターネット網に接続可能なＡＴＭ交換機と無線基地局が分離している移動体通信システムにおいて、複数の移動体端末が同一のサービスエリア内にてほぼ同時に通信を行った時、パケット通信状態にある移動体端末全てに対して、単位時間当たりのデータ転送量を移動体毎に均等にする。これにより、通信中なのか不通なのか分からないために通信途中放棄してしまう移動体端末への無駄な課金を低減する。また、インターネット網側からの再送による二重送信をなくすことにより二重課金をなくすことを特徴としている。
【００２６】
以下に本発明の第１実施形態について添付図面を参照して説明する。
図２に示すように、本発明の移動体通信システムは、無線基地局１０と、ＡＴＭ交換機２０と、関門交換機３０を有する。
無線基地局１０（１０−ｉ、ｉ＝１〜ｎ：ｎは局数）は、同一のサービスエリア内にある複数の移動体端末と無線通信する。また、ＡＴＭ交換機２０と通信する。ＡＴＭ交換機２０は、ＡＴＭスイッチ２１と、無線基地局制御装置２２と、移動体端末終端装置２３と、パケット処理装置２４を備える。関門交換機３０は、ＡＴＭスイッチ３１と、プロトコル変換装置３２と、パケット処理装置３３を備える。
【００２７】
ＡＴＭスイッチ２１は、無線基地局１０と通信する。無線基地局制御装置２２は、無線基地局１０毎に存在し、無線基地局１０の制御を行う。移動体端末終端装置２３は、移動体端末との間のプロトコルを終端する。パケット処理装置２４は、ＡＴＭ交換機２０内におけるパケットのプロトコル処理を行う。
【００２８】
ＡＴＭスイッチ３１は、無線基地局１０と通信する。プロトコル変換装置３２は、ＡＴＭ交換機２０及び関門交換機３０内で使用されているデータ形式から、インターネット網１００で使用されているデータ形式にデータのプロトコルの変換を行う。パケット処理装置３３は、関門交換機３０内におけるパケットのプロトコル処理を行う。
【００２９】
図３は、移動体端末Ｍ１から移動体端末Ｍｍまでのｍ台の移動体端末について、パケット番号１から各移動体端末Ｍｊ（ｊ＝１からｍの値）の最終データパケット番号ｎｊまでのパケットデータ（ｊ，ｎｊ）を、移動体端末Ｍ１から移動体端末Ｍｍまで順番に割り当てたパケットデータイメージを二次元配列を用いて示している。ここでの移動体端末番号は、通信を開始した移動体端末の順番を意味しているものとする。また、最終データパケット数は各移動体端末Ｍｊ（ｊ＝１からｍの値）で異なり、最終パケット番号はｎｊ（ｊ＝１からｍの値）にて表している。図４では説明を簡略するため、ｎ＜＝ｎｊ（ｊ＝１からｍの値）を満たすパケット番号ｎまでの説明している。ここでは、ｎ＝１からｍとしている。すなわち、移動体端末台数も、１台当たりのパケットデータ数も、いずれも最大ｍとしている。但し、実際には、ｎは、１つの移動体端末に割り当てられるパケットデータ数であり、任意である。
【００３０】
本発明を適用した場合、図４に示すように、通信を開始した移動体端末Ｍ１から順番に、パケット番号１のデータ（１，１）を送出する。無線基地局１０は、パケット番号１のデータ（１，１）を受信するとＡＴＭ交換機２０側に受信応答を送出する。ＡＴＭ交換機２０側はこの受信応答を受けてから次の移動体端末Ｍ２のパケット番号１のデータ（２，１）を送出する。この処理を繰り返し行い、最後に発呼した移動体端末番号Ｍｍのパケット番号１のデータ（ｍ，１）を送出し、無線基地局１０からの応答を受信したら、一番最初に通信を開始した移動体端末Ｍ１に戻り、パケット番号２のデータ（１，２）を無線基地局１０に対して送出する。
【００３１】
この一連の動作を図５に示す。図中「Ｄ１１」は、移動体端末Ｍ１宛のパケット番号１のデータ（１，１）がＡＴＭ交換機２０から送出されたことを示す。図中「Ｄ１２」は無線基地局１０からの（１，１）データの受信応答をＡＴＭ交換機２０が受信した後に、移動体端末Ｍ２宛のパケット番号１のデータ（２，１）を送出したことを示す。図中「Ｄ１３」は無線基地局１０からのデータ（ｍ−１，１）の受信応答をＡＴＭ交換機２０が受信した後に、移動体端末Ｍｍ宛のパケット番号１のデータ（ｍ，１）を送出したことを示す。図中「Ｄ１４」は無線基地局１０からのデータ（ｍ，１）の受信応答をＡＴＭ交換機２０が受信した後に、移動体端末Ｍ１宛のパケット番号２のデータ（１，２）を送出したことを示す。図中「Ｄ１５」は無線基地局１０からのデータ（１，２）の受信応答をＡＴＭ交換機２０が受信した後に、移動体端末Ｍ２宛のパケット番号２のデータ（２，２）を送出したことを示す。図中「Ｄ１６」は無線基地局１０からのデータ（ｍ−１，２）の受信応答をＡＴＭ交換機２０が受信した後に、移動体端末Ｍｍ宛のパケット番号２のデータ（ｍ，２）を送出したことを示す。
【００３２】
このように、インターネット網１００から無秩序に送られて来たパケットデータを一つのサービスエリア内において現時点でサポートしている移動体端末全てに対して、均等にパケットデータを送出することにより、通信中なのか不通なのか分からないために通信途中放棄してしまう移動体端末への無駄な課金を低減する。また、移動端末がパケットデータを受け取ったことに対するインターネット網１００側への応答の遅延やタイムアウトによるインターネット網１００側からの再送をなくすことにより二重課金をなくすという効果が得られる。
【００３３】
以下に本発明の第２実施形態について添付図面を参照して説明する。
図６に、本発明の他の実施例としてＰＤＣ（Ｐｅｒｓｏｎａｌ  Ｄｉｇｉｔａｌ  Ｃｅｌｌｕｌａｒ）におけるインターネットとのパケット基本接続を実現したシステムを示している。このシステムは、移動体端末から様々なプロバイダを介してインターネット網１００に接続し、パケットデータの通信を行うシステムである。このシステムにおける本発明は、同一の無線基地局１０のサービスエリア内において複数台の移動体端末がパケット通信した時に適用される。
【００３４】
図６のシステムは以下のように構成される。
図６のシステムは、図２と同様に、無線基地局１０と、ＡＴＭ交換機２０と、関門交換機３０を有する。
無線基地局１０は、移動体端末との間で無線区間のデータをやり取りするために使用される。一つの無線基地局１０がサポートすることのできるエリアをサービスエリアという。ＡＴＭ交換機２０内における無線基地局制御装置２２は無線基地局１０毎に存在し、無線基地局１０の制御を行う。また、移動体端末終端装置２３は、移動体端末との間のプロトコルを終端する。パケット処理装置２４、パケット処理装置３３は、ＡＴＭ交換機２０と関門交換機３０の双方に設置され、各交換機内におけるパケットのプロトコル処理を行う。また、関門交換機３０に設置されているプロトコル変換装置は、ＡＴＭ交換機２０、関門交換機３０内で使用されているデータ形式から、インターネット網１００で使用されているデータ形式にデータのプロトコルの変換を行う装置である。
【００３５】
図６では、各装置を通過する順路を示している。
まず、関門交換機３０内のプロトコル変換装置は、インターネット網から受信したパケットデータを、ＡＴＭスイッチ３１を介してパケット処理装置３３に渡す。パケット処理装置３３は、このパケットデータを、ＡＴＭスイッチ３１を介してＡＴＭ交換機２０内のパケット処理装置２４に送信する。パケット処理装置２４は、受信したパケットデータを、ＡＴＭスイッチ２１を介して移動体端末終端装置２３に渡す。移動体端末終端装置２３は、受け取ったパケットデータを、ＡＴＭスイッチ２１を介して無線基地局制御装置２２に渡す。無線基地局制御装置２２は、無線基地局１０の各々に、パケットデータを送信する。
【００３６】
以下に本実施例の動作について説明する。
まず、図７に示したイメージ図は、移動体端末終端装置２３から移動体端末までのデータの流れを示したものである。この時、ＡＴＭ交換機２０内の無線基地局制御装置２２には、移動体端末毎に対応する送信キューと移動体端末終端装置２３からのデータを受信する受信キューを具備している。
【００３７】
ここでの動作は、移動体端末Ｍ１から移動体端末Ｍｍまでの複数の移動端末が連続して同一個数のパケットデータをダウンロード開始した時のものである。この時、各移動体端末はＭ１から順番にＭ２、Ｍ３、Ｍｍとダウンロードを開始したと仮定する。この一連の動作を順番に説明する。
【００３８】
図中「Ｄ２１」の動作は、移動体端末終端装置２３からの移動体端末Ｍ１宛のパケット番号１のデータ（１，１）、同じく移動体端末Ｍ２宛のパケット番号１のデータ（２，１）、同じく移動体端末Ｍ１宛のパケット番号２のデータ（１，２）、同じく移動体端末Ｍ５宛のパケット番号１のデータ（５，１）、同じく移動体端末Ｍ５宛のパケット番号２のデータ（５，２）、同じく移動体端末Ｍｍ宛のパケット番号１のデータ（ｍ，１）を順に無線基地局制御装置２２が受信キューに受信したことを示している。そして図中「Ｄ２２」に示すようにデータを移動体端末毎の送信キューに受信順に並び替えた状態を示している。図中「Ｄ２３」は無線基地局制御装置２２が移動端末単位の送信キューから１つずつ取り出し無線基地局１０に送ることを示している。図中「Ｄ２４」は無線基地局１０から全移動体端末への送出データ順を示している。図中「Ｄ２５」は無線基地局制御装置２２からのデータが全移動体端末に送信され、各移動体端末が自分宛のデータだけを取り出した結果を示している。
【００３９】
このように、無線基地局制御装置２２は、移動体端末終端装置２３からのデータを移動体端末毎に並び替えることによって、移動体端末Ｍ１から移動体端末Ｍｍまでの移動端末に対して、均等な伝送速度にてパケットデータを送出することを実現している。
【００４０】
以下に本発明の第２実施形態について添付図面を参照して説明する。
本発明のその他の実施例として、図６に示すようなＰＤＣ（Ｐｅｒｓｏｎａｌ  Ｄｉｇｉｔａｌ  Ｃｅｌｌｕｌａｒ）におけるインターネットとのパケット基本接続を実現したシステムにおいて、同一の無線基地局１０のサービスエリア内にて優先度が異なる移動体端末が一斉にダウンロード開始した際に適用される。また、この時の条件として、ダウンロードを開始した移動体端末は、優先度毎に可能な限り高速、且つ、パケットデータ受信中にタイムアウトすることなくダウンロード処理を完了させることとする。
【００４１】
この一連の動作を再度、図８を用いて説明する。図中「Ｄ３１」は、最優先度移動体端末Ｍ１宛のデータ（１，１），（１，２）がＡＴＭ交換機２０から送出されたことを示す。図中「Ｄ３２」は無線基地局１０からの受信応答を待った後に、ＡＴＭ交換機２０が最優先度移動体端末Ｍ２宛のデータ（２，１），（２，２）を送出したことを示す。図中「Ｄ３３」は無線基地局１０からの受信応答待った後に、ＡＴＭ交換機２０が低優先移動体端末Ｍｍ宛のパケット番号１のデータ（ｍ，１）を送出したことを示す。
【００４２】
図中「Ｄ３１」から「Ｄ３３」の動作後、最優先移動端末Ｍ１の次のパケットデータ（１，３）送出処理に入る。このようにして、本発明を適用し、優先度毎に送出するデータ量を変更することによって、移動体へのデータ送信を優先度順に伝送速度を高速に行うことを可能としている。
【００４３】
以上のように、本発明の移動体通信システムでは、移動体通信システムにおける移動体端末からの各種信号を終端する移動体端末終端装置と、この移動体端末終端装置を通してサービスを提供するサービス制御装置から構成されるシステム構成となっている。
【００４４】
本発明におけるパケット送信方法では、ＡＴＭ交換機を使用した移動体通信システムにおける無線基地局制御装置において、無線基地局制御装置から無線基地局にパケットを送出する際に、通信状態の移動体端末全てに均等にパケットデータを送出する。
【００４５】
また、本発明におけるパケット送信方法では、ＡＴＭ交換機を使用した移動体通信システムにおける移動体端末制御装置において、移動体端末制御装置から無線基地局制御装置にパケットを送出する際に、通信状態の移動体端末全てに均等にパケットデータを送出する。
【００４６】
更に、本発明におけるパケット送信方法では、移動体通信システムにおける移動体端末への各種信号の送受信を行う際に、通信状態の移動体端末全てに対して均等にデータを送出する。
【００４７】
これにより、本発明では、先に示した通信方法を用いて、移動体端末の無線通信処理における移動体端末の処理時間タイムアウトを減少、又は防止することが可能になる。
【図面の簡単な説明】
【００４８】
【図１】図１は、従来の下りパケット送信方法を使った場合の動作を示す図である。
【図２】図２は、本発明の移動体通信システムの構成図である。
【図３】図３は、パケットデータイメージを二次元配列を用いて示した図である。
【図４】図４は、パケットデータイメージを説明するための図である。
【図５】図５は、本発明の一連の動作を示す図である。
【図６】図６は、本発明の他の実施例を示すための構成図である。
【図７】図７は、本発明の他の実施例の動作を示すためのイメージ図である。
【図８】図８は、本発明の他の実施例の一連の動作を示す図である。
【符号の説明】
【００４９】
１０…  無線基地局
２０…  ＡＴＭ交換機
２１…  ＡＴＭスイッチ
２２…  無線基地局制御装置
２３…  移動体端末終端装置
２４…  パケット処理装置
３０…  関門交換機
３１…  ＡＴＭスイッチ
３２…  プロトコル変換装置
３３…  パケット処理装置
１００…  インターネット網
【図１】
2007259016.tif 000003
【図２】
2007259016.tif 000004
【図３】
2007259016.tif 000005
【図４】
2007259016.tif 000006
【図５】
2007259016.tif 000007
【図６】
2007259016.tif 000008
【図７】
2007259016.tif 000009
【図８】
2007259016.tif 000010